(57)【特許請求の範囲】
【請求項１】
第１通信インターフェースが接続される第１通信Ｉ／Ｆ接続部と、
第２通信インターフェースが接続される第２通信Ｉ／Ｆ接続部と、
前記第１通信Ｉ／Ｆ接続部の識別情報に対応づけて表示部の第１表示領域の範囲を格納し、前記第２通信Ｉ／Ｆ接続部の識別情報に対応づけて前記表示部の第２表示領域の範囲を格納する表示領域格納部と、
前記第１通信インターフェースの位置情報を取得する位置情報取得部と、
前記第１通信インターフェースの位置情報に基づく認証によって前記第１通信インターフェースを介して受信したデータを、前記表示部に表示させる表示制御部と、
前記受信したデータを編集するデータ編集部と、
前記データ編集部により前記受信したデータが編集されたときの前記第１通信インターフェースの前記位置情報に基づいて、前記受信したデータの送信先を制限する送信先制限部と
を備え、
前記表示制御部は、前記第１通信インターフェースを介して受信したデータを前記表示部の前記第１表示領域に表示させ、前記第２通信インターフェースを介して受信したデータを前記表示部の前記第２表示領域に表示させる、表示制御装置。
【請求項２】
前記表示領域格納部は、前記第１通信インターフェース及び前記第２通信インターフェースの一方が接続されている場合に、前記第１通信インターフェース及び前記第２通信インターフェースの一方を介して受信したデータを表示する、前記表示部の第３表示領域の範囲を格納し、
前記表示制御部は、前記第１通信インターフェース及び前記第２通信インターフェースの一方が接続されている場合に、前記第１通信インターフェース及び前記第２通信インターフェースの一方を介して受信したデータを前記表示部の前記第３表示領域に表示させる、請求項１に記載の表示制御装置。
【請求項３】
データの取得を要求するデータ取得要求をサーバに送信するデータ取得要求送信部と、
前記位置情報を前記サーバに送信する位置情報送信部と
をさらに備え、
前記表示制御部は、前記位置情報及び前記データ取得要求に基づく前記サーバによる認証によって、前記第１通信インターフェースを介して受信したデータを、前記表示部に表示させる、請求項１又は２に記載の表示制御装置。
【請求項４】
他の装置が格納するデータにアクセスするための複数のアイコンを取得するアイコン取得部、
をさらに備え、
前記表示制御部は、前記複数のアイコンのうち、前記第１通信インターフェースを介してアクセス可能なデータにアクセスするためのアイコンを前記表示部に表示させる、請求項１から３のいずれか１項に記載の表示制御装置。
【請求項５】
前記第１通信インターフェースを介して、前記複数のアイコンのそれぞれに対応するデータにアクセス可能か否かを判定するアクセス可否判定部
をさらに備え、
前記表示制御部は、前記複数のアイコンのうち、前記アクセス可否判定部によってアクセス可能と判定されたデータにアクセスするためのアイコンを前記表示部に表示させる、請求項４に記載の表示制御装置。
【請求項６】
前記第１通信インターフェースは、移動体通信網及びＷｉ−Ｆｉのいずれかに対するインターフェースである、請求項１から５のいずれか１項に記載の表示制御装置。
【請求項７】
前記第１通信インターフェースは、外付けアンテナである、請求項１から６のいずれか１項に記載の表示制御装置。
【請求項８】
第１通信インターフェースが接続される第１通信Ｉ／Ｆ接続部と、
第２通信インターフェースが接続される第２通信Ｉ／Ｆ接続部と、
前記第１通信Ｉ／Ｆ接続部の識別情報に対応づけて表示部の第１表示領域の範囲を格納し、前記第２通信Ｉ／Ｆ接続部の識別情報に対応づけて前記表示部の第２表示領域の範囲を格納する表示領域格納部と、
前記第１通信インターフェースを介して受信したデータを前記表示部の前記第１表示領域に表示させ、前記第２通信インターフェースを介して受信したデータを前記表示部の前記第２表示領域に表示させる表示制御部と、
前記受信したデータを編集するデータ編集部と、
前記データ編集部により前記受信したデータが編集されたときの前記第１通信インターフェースの位置情報に基づいて、前記受信したデータの送信先を制限する送信先制限部と
を備える表示制御装置。
【請求項９】
前記表示領域格納部は、前記第１通信インターフェース及び前記第２通信インターフェースの一方が接続されている場合に、前記第１通信インターフェース及び前記第２通信インターフェースの一方を介して受信したデータを表示する、前記表示部の第３表示領域の範囲を格納し、
前記表示制御部は、前記第１通信インターフェース及び前記第２通信インターフェースの一方が接続されている場合に、前記第１通信インターフェース及び前記第２通信インターフェースの一方を介して受信したデータを前記表示部の前記第３表示領域に表示させる、請求項８に記載の表示制御装置。
【請求項１０】
コンピュータを、請求項１から９のいずれか１項に記載の表示制御装置として機能させるためのプログラム。
【発明の詳細な説明】
【技術分野】
【０００１】
本発明は、表示制御装置及びプログラムに関する。
【背景技術】
【０００２】
会議室などで利用される、表示と書込みが可能な大型のタッチパネルディスプレイが知られている（例えば、特許文献１）。
特許文献１  特開２００７−２８６７８０号公報
【発明の概要】
【発明が解決しようとする課題】
【０００３】
状況に応じて適切にデータを表示可能なディスプレイが望まれている。
【課題を解決するための手段】
【０００４】
本発明の第１の態様によれば、第１通信インターフェースが接続される第１通信Ｉ／Ｆ接続部と、前記第１通信インターフェースの位置情報を取得する位置情報取得部と、前記第１通信インターフェースの位置情報に基づく認証によって前記第１通信インターフェースを介して受信可能なデータを、表示部に表示させる表示制御部とを備える表示制御装置が提供される。
【０００５】
上記表示制御装置は、データの取得を要求するデータ取得要求をサーバに送信するデータ取得要求送信部と、前記位置情報を前記サーバに送信する位置情報送信部とをさらに備えてよく、前記表示制御部は、前記位置情報及び前記データ取得要求に基づく前記サーバによる認証によって、前記第１通信インターフェースを介して受信可能なデータを、前記表示部に表示させてよい。上記表示制御装置は、第２通信インターフェースが接続される第２通信Ｉ／Ｆ接続部と、前記第１通信Ｉ／Ｆ接続部の識別情報に対応づけて前記表示部の第１表示領域の範囲を格納し、前記第２通信Ｉ／Ｆ接続部の識別情報に対応づけて前記表示部の第２表示領域の範囲を格納する表示領域格納部とをさらに備えてよく、前記表示制御部は、前記第１通信インターフェースを介して受信したデータを前記表示部の前記第１表示領域に表示させ、前記第２通信インターフェースを介して受信したデータを前記表示部の前記第２表示領域に表示させてよい。
【０００６】
上記表示制御装置において、前記表示領域格納部は、前記第１通信インターフェース及び前記第２通信インターフェースの一方が接続されている場合に、前記第１通信インターフェース及び前記第２通信インターフェースの一方を介して受信したデータを表示する、前記表示部の第３表示領域の範囲を格納してよく、前記表示制御部は、前記第１通信インターフェース及び前記第２通信インターフェースの一方が接続されている場合に、前記第１通信インターフェース及び前記第２通信インターフェースの一方を介して受信したデータを前記表示部の前記第３表示領域に表示させてよい。また、上記表示制御装置は、他の装置が格納するデータにアクセスするための複数のアイコンを取得するアイコン取得部をさらに備えてよく、前記表示制御部は、前記複数のアイコンのうち、前記第１通信インターフェースを介してアクセス可能なデータにアクセスするためのアイコンを前記表示部に表示させてよい。また、上記表示制御装置は、前記第１通信インターフェースを介して、前記複数のアイコンのそれぞれに対応するデータにアクセス可能か否かを判定するアクセス可否判定部をさらに備えてよく、前記表示制御部は、前記複数のアイコンのうち、前記アクセス可否判定部によってアクセス可能と判定されたデータにアクセスするためのアイコンを前記表示部に表示させてよい。
【０００７】
上記表示制御装置において、前記第１通信インターフェースは、移動体通信網及びＷｉＦｉ（登録商標）のいずれかに対するインターフェースであってよい。また、上記表示制御装置において、前記第１通信インターフェースは、外付けアンテナであってよい。また、上記表示制御装置は、データを編集するデータ編集部と、前記データ編集部により前記データが編集されたときの前記第１通信インターフェースの前記位置情報に基づいて、前記データの送信先を制限する送信先制限部とをさらに備えてよい。
【０００８】
本発明の第２の態様によれば、第１通信インターフェースが接続される第１通信Ｉ／Ｆ接続部と、第２通信インターフェースが接続される第２通信Ｉ／Ｆ接続部と、前記第１通信Ｉ／Ｆ接続部の識別情報に対応づけて表示部の第１表示領域の範囲を格納し、前記第２通信Ｉ／Ｆ接続部の識別情報に対応づけて前記表示部の第２表示領域の範囲を格納する表示領域格納部と、前記第１通信インターフェースを介して受信したデータを前記表示部の前記第１表示領域に表示させ、前記第２通信インターフェースを介して受信したデータを前記表示部の前記第２表示領域に表示させる表示制御部とを備える表示制御装置が提供される。
【０００９】
本発明の第３の態様によれば、コンピュータを、上記表示制御装置として機能させるためのプログラムが提供される。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】ディスプレイ装置１００の通信環境の一例を概略的に示す。
【図２】ディスプレイ装置１００の表示例を概略的に示す。
【図３】ディスプレイ装置１００の他の表示例を概略的に示す。
【図４】ディスプレイ装置１００の機能構成の一例を概略的に示す。
【図５】アクセス管理テーブル４０２の一例を概略的に示す。
【図６】通信Ｉ／Ｆ接続部１０４、１０６の識別情報と表示領域の範囲とを対応付けた対応テーブル１５６の一例を概略的に示す。
【図７】データ管理テーブルの一例を概略的に示す。
【図８】ディスプレイ装置１００による処理の一例を概略的に示す。
【図９】ディスプレイ装置１００のハードウェア構成の一例を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、ディスプレイ装置１００の通信環境の一例を概略的に示す。ディスプレイ装置１００は、例えば、会社の会議室などに設置される大型のディスプレイである。ディスプレイ装置１００は、表示制御装置の一例であってよい。
【００１４】
ディスプレイ装置１００は、表示部１０２及び通信Ｉ／Ｆ接続部１０４を備える。表示部１０２は、タッチパネルディスプレイであってよい。通信Ｉ／Ｆ接続部１０４は、無線子機２１０と物理的に接続されてよい。無線子機２１０は、接続部２１２、通信アンテナ２１４、及びＧＰＳアンテナ２１６を備えてよい。通信Ｉ／Ｆ接続部１０４に、接続部２１２が挿入されることによって、ディスプレイ装置１００と無線子機２１０とが接続されてよい。通信Ｉ／Ｆ接続部１０４は、第１通信Ｉ／Ｆ接続部の一例であってよい。無線子機２１０は、第１通信インターフェースの一例であってよい。
【００１５】
無線子機２１０は、通信アンテナ２１４を介して、ディスプレイ装置１００と他の装置との通信を中継する。無線子機２１０は、３Ｇ方式、ＬＴＥ方式、４Ｇ方式などの移動体通信方式に従って、ディスプレイ装置１００と他の装置との通信を中継してよい。また、無線子機２１０は、ＷｉＦｉ（登録商標）、ＷｉＭＡＸ（登録商標）などの無線通信方式に従って、ディスプレイ装置１００と他の装置との通信を中継してよい。図１では、無線子機２１０が、ＷｉＦｉによってディスプレイ装置１００と他の装置との通信を中継する例を主に挙げて説明する。
【００１６】
ディスプレイ装置１００は、無線子機２１０を介して、無線ルータ３００と通信してよい。ディスプレイ装置１００は、無線ルータ３００及びネットワーク１０を介して、データサーバ４００と通信してよい。ネットワーク１０は、例えば、会社内に敷設された社内ＬＡＮなどの専用網であってよく、インターネットであってもよく、専用網及びインターネットの両方を含んでもよい。ディスプレイ装置１００は、無線子機２１０が移動体通信方式に準拠する場合、不図示の無線基地局を介して、インターネット及びデータサーバ４００などと通信してよい。
【００１７】
データサーバ４００は、ディスプレイ装置１００に表示させる複数のデータを格納する。データサーバ４００は、例えば、会社内のデータを管理するサーバである。また、データサーバ４００は、インターネット上に配置された、任意のデータを管理するサーバであってもよい。データサーバ４００は、複数のデータをグループ別に格納してよい。例えば、データサーバ４００は、複数のデータ領域を格納して、複数のデータ領域毎に複数のデータを格納してよい。
【００１８】
ディスプレイ装置１００は、無線子機２１０を介してデータサーバ４００から受信したデータを表示部１０２に表示してよい。また、ディスプレイ装置１００は、無線子機２１０を介してインターネット上から受信したデータを表示部１０２に表示してもよい。
【００１９】
データサーバ４００は、格納している複数のデータのそれぞれに対してアクセス制限を課してよい。例えば、データサーバ４００は、無線子機２１０の無線子機識別情報に対してアクセス制限を課す。すなわち、データサーバ４００は、複数のデータのそれぞれについて、特定の無線子機識別情報を有する無線子機２１０に対してのみアクセスを許可するアクセス制限を課してよい。無線子機識別情報は、例えば、無線子機２１０のＭＡＣアドレスである。
【００２０】
データサーバ４００は、複数のデータ領域毎に、アクセスを許可する無線子機識別情報を設定してもよい。例えば、データ領域Ａに格納された複数のデータに対して、無線子機２１０の無線子機識別情報を設定することにより、データ領域Ａに格納された複数のデータについて、無線子機２１０からのアクセスを許可する。
【００２１】
ディスプレイ装置１００は、無線子機２１０が通信Ｉ／Ｆ接続部１０４に接続されたときに、無線子機２１０から無線子機識別情報を取得してよい。そして、ディスプレイ装置１００は、データサーバ４００に対して無線子機識別情報を送信してよい。これにより、ディスプレイ装置１００は、無線子機２１０からのアクセスが許可されたデータにアクセスできる。このように、無線子機識別情報に対してアクセス制限を課すことによって、無線子機２１０を物理的に所有するユーザに対してのみアクセスを許可することができ、データ管理の柔軟性を向上できる。
【００２２】
データサーバ４００は、無線子機２１０の位置情報に対してアクセス制限を課してもよい。すなわち、データサーバ４００は、格納している複数のデータのそれぞれについて、特定の位置情報を有する無線子機２１０に対してのみアクセスを許可するアクセス制限を課してよい。データサーバ４００は、複数のデータ領域毎に、アクセスを許可する位置情報を設定してもよい。
【００２３】
データサーバ４００は、例えば、無線子機２１０のＧＰＳデータが会社の敷地内を示す場合に、無線子機２１０を介したデータアクセスを許可する。また、データサーバ４００は、例えば、無線子機２１０が通信する無線ルータ３００によって特定される場所が、特定の会議室である場合に、無線子機２１０からのデータアクセスを許可する。
【００２４】
ディスプレイ装置１００は、無線子機２１０からＧＰＳデータを受信して、データサーバ４００に送信してよい。これにより、ディスプレイ装置１００は、送信したＧＰＳデータによってアクセスが許可されるデータにアクセスできる。
【００２５】
また、ディスプレイ装置１００は、無線子機２１０を介して通信する無線ルータ３００の無線ルータ識別情報を無線ルータ３００から受信して、データサーバ４００に送信してもよい。これにより、ディスプレイ装置１００は、送信した端末識別情報によってアクセスが許可されるデータにアクセスできる。無線ルータ識別情報は、無線ルータを識別できる任意の識別情報であってよい。例えば、無線ルータ識別情報は、無線ルータ３００のＭＡＣアドレスである。このように、無線子機２１０の位置情報に対してアクセス制限を課すことによって、特定の場所に配置されたディスプレイ装置１００に対してのみ、データアクセスを許可することができ、データ管理の柔軟性を向上できる。
【００２６】
図２は、ディスプレイ装置１００の表示例を概略的に示す。ディスプレイ装置１００は、無線子機２１０が通信Ｉ／Ｆ接続部１０４に挿入された場合に、無線子機２１０を介して受信するデータを表示する表示領域１５０を、表示部１０２に表示してよい。表示領域１５０は、表示部１０２の表示画面のうちの一定の範囲であってよく、表示画面全体であってもよい。また、表示領域１５０は、ＧＵＩにおけるウィンドウであってもよい。図２では、表示領域１５０がウィンドウである場合を例示している。
【００２７】
ディスプレイ装置１００は、他の装置が格納するデータにアクセスするための複数のアイコンを表示領域１５０に含めて表示してよい。図２では、インターネット上のデータにアクセスするためのブラウザを起動させるためのアイコン１６２と、データサーバ４００が格納するデータ領域Ａ、データ領域Ｂ、データ領域Ｃにそれぞれアクセスするためのアイコン１６４、１６６、１６８と、データＤにアクセスするためのアイコン１７０とを表示した場合を例示している。アイコン１６２、１６４、１６６、１６８、１７０をまとめて単にアイコンと呼ぶ場合がある。ディスプレイ装置１００は、ユーザからのアイコンの指定を受け付けることによって、他の装置が格納するデータにアクセスしてよい。
【００２８】
ディスプレイ装置１００は、無線子機２１０から複数のアイコンを取得して、表示領域１５０内に表示してよい。無線子機２１０は、例えばユーザによって予め登録された複数のアイコンを保持してよい。複数の無線子機２１０がそれぞれ異なるアイコンを保持することにより、ディスプレイ装置１００は、挿入した無線子機２１０によって異なるアイコンを表示させることができる。
【００２９】
ディスプレイ装置１００は、ディスプレイ装置１００自身が予め保持した複数のアイコンを表示領域１５０内に表示してもよい。また、ディスプレイ装置１００は、データサーバ４００から複数のアイコンを取得してもよい。例えば、ディスプレイ装置１００は、データサーバ４００が複数の無線子機識別情報のそれぞれに対して予め格納した複数のアイコンのうち、接続された無線子機２１０に対応する複数のアイコンを、データサーバ４００から受信して、表示領域１５０内に表示してもよい。
【００３０】
ディスプレイ装置１００は、複数のアイコンのうち、アクセスが許可されているアイコンのみを表示領域１５０内に表示してもよい。これにより、無線子機２１０をディスプレイ装置１００に挿入したユーザに対して、アクセス可能なデータを容易に把握させることができる。また、表示領域１５０内にアイコンが表示されているにもかかわらず、アクセスすることができないという事態の発生を防止できる。
【００３１】
図３は、ディスプレイ装置１００の他の表示例を概略的に示す。図３は、通信Ｉ／Ｆ接続部１０４に無線子機２１０が接続され、通信Ｉ／Ｆ接続部１０６に無線子機２２０が接続された場合の表示例を示す。無線子機２２０は、不図示の接続部と、通信アンテナ２２４及びＧＰＳアンテナ２２６とを備えてよい。通信Ｉ／Ｆ接続部１０６は、第２通信Ｉ／Ｆ接続部の一例であってよい。無線子機２２０は、第２通信インターフェースの一例であってよい。
【００３２】
ディスプレイ装置１００は、通信Ｉ／Ｆ接続部１０４及び通信Ｉ／Ｆ接続部１０６に無線子機２１０及び無線子機２２０が接続された場合、通信Ｉ／Ｆ接続部１０４に対応する表示領域１５２と、通信Ｉ／Ｆ接続部１０６に対応する表示領域１５４とを、表示部１０２に表示してよい。例えば、ディスプレイ装置１００は、表示部１０２の表示領域全体のうち、通信Ｉ／Ｆ接続部１０４側の表示領域１５２に、通信Ｉ／Ｆ接続部１０４を介して受信したデータを表示してよい。また、ディスプレイ装置１００は、表示部１０２の表示領域全体のうち、通信Ｉ／Ｆ接続部１０６側の表示領域１５４に、通信Ｉ／Ｆ接続部１０６を介して受信したデータを表示してよい。
【００３３】
図３は、表示領域１５２内に、無線子機２１０を介してアクセス可能なデータにアクセスするためのアイコンのみが表示された例を示す。また、図３は、表示領域１５４内に、無線子機２２０を介してアクセス可能なデータにアクセスするためのアイコンのみが表示された例を示す。表示領域１５２には、アイコン１６２、１６４、１７０が表示されており、表示領域１５４には、アイコン１６２、１６４、１６８が表示されている。
【００３４】
ディスプレイ装置１００は、例えば、アイコン１７０が指定された場合に、無線子機２１０を介して、アイコン１７０に対応するデータをデータサーバ４００から受信して、表示領域１５２内に表示する。また、ディスプレイ装置１００は、例えば、アイコン１６８が指定された場合に、データ領域Ｃに含まれる複数のデータに対応するアイコンを表示領域１５４内に表示させてよく、データに対応するアイコンが指定された場合に、指定されたアイコンに対応するデータをデータサーバ４００から受信して、表示領域１５４内に表示する。
【００３５】
このように、ディスプレイ装置１００は、無線子機２１０を介してのみアクセス可能なデータと、無線子機２２０を介してのみアクセス可能なデータとを並べて表示することができる。これにより、例えば機密データの比較などをユーザに柔軟に行わせることができる。
【００３６】
図４は、ディスプレイ装置１００の機能構成の一例を概略的に示す。ディスプレイ装置１００は、表示部１０２、通信Ｉ／Ｆ接続部１０４、通信Ｉ／Ｆ接続部１０６、識別情報取得部１０８、認証処理実行部１１０、位置情報取得部１１２、アイコン取得部１１４、表示領域格納部１１６、表示制御部１１８、位置情報送信部１２０、データ取得要求送信部１２２、データ記憶部１２４、アクセス可否判定部１２６、操作部１２８、データ編集部１３０、送信先情報格納部１３２、送信先制限部１３４、データ送信部１３６、及び制御部１３８を備える。
【００３７】
表示部１０２は、例えば、タッチパネルディスプレイである。表示部１０２は、ディスプレイ上に外付けのタッチパネルを配置した形式のタッチパネルディスプレイであってもよい。
【００３８】
通信Ｉ／Ｆ接続部１０４、１０６は、通信インターフェースが接続される接続部である。通信インターフェースは、例えば、３Ｇ方式、ＬＴＥ方式、４Ｇ方式などの移動体通信方式に対するインターフェースである。また、通信インターフェースは、ＷｉＦｉ（登録商標）及びＷｉＭＡＸ（登録商標）などの無線通信方式に対するインターフェースであってもよい。また、通信インターフェースは、有線ネットワークに対するインターフェースであってもよい。
【００３９】
通信Ｉ／Ｆ接続部１０４、１０６は、通信インターフェースを物理的に接続する接続コネクタであってよい。例えば、通信Ｉ／Ｆ接続部１０４、１０６は、ＵＳＢコネクタである。通信インターフェースは、ＵＳＢ接続可能な外付けアンテナであってよい。また、通信Ｉ／Ｆ接続部１０４、１０６は、ＬＡＮコネクタであってもよい。
【００４０】
識別情報取得部１０８は、通信Ｉ／Ｆ接続部１０４、１０６に接続された無線子機２１０、２２０から、無線子機識別情報を取得する。例えば、識別情報取得部１０８は、無線子機２１０、２２０から、無線子機２１０、２２０のＭＡＣアドレスを取得する。
【００４１】
認証処理実行部１１０は、無線子機２１０、２２０を介した通信を確立するべく認証処理を実行する。認証処理実行部１１０は、例えば、無線子機２１０、２２０が移動体通信方式に準拠した外付けアンテナであった場合、移動体通信の認証サーバに対して認証処理を実行してよい。また、認証処理実行部１１０は、無線子機２１０、２２０がＷｉＦｉに準拠した外付けアンテナであった場合、無線通信圏内のアクセスポイントに対して、認証処理を実行してよい。認証処理実行部１１０が認証処理を実行することによって、通信を確立させてよい。
【００４２】
また、認証処理実行部１１０は、データサーバ４００に対する認証処理を実行してもよい。認証処理実行部１１０は、例えば、識別情報取得部１０８が取得した無線子機２１０、２２０のＭＡＣアドレスをデータサーバ４００に送信することによって、認証処理を実行してよい。データサーバ４００は、例えば、予め登録した無線子機２１０、２２０のＭＡＣアドレスを受信した場合に、認証可と判定する。
【００４３】
位置情報取得部１１２は、通信Ｉ／Ｆ接続部１０４、１０６に接続された通信インターフェースの位置情報を取得する。位置情報取得部１１２は、例えば、無線子機２１０、２２０から、ＧＰＳデータを取得してよい。また、位置情報取得部１１２は、無線子機２１０、２２０が通信する無線ルータ３００から、位置情報を取得してもよい。例えば、位置情報取得部１１２は、無線ルータ３００から、無線ルータ３００の無線ルータ識別情報を取得する。一例として、データサーバ４００が、無線ルータ３００の無線ルータ識別情報とディスプレイ装置１００が設置される会議室の位置情報とを対応付けて格納している場合、無線ルータ３００の無線ルータ識別情報をデータサーバ４００に送信することによって、送信した無線ルータ識別情報に対応する位置情報が示す位置に、無線子機２１０、２２０が位置することを示すことができる。
【００４４】
アイコン取得部１１４は、他の装置が格納するデータにアクセスするための複数のアイコンを取得する。アイコン取得部１１４は、無線子機２１０、２２０が予め保持している複数のアイコンを、無線子機２１０、２２０から受信してよい。無線子機２１０、２２０が予め保持している複数のアイコンは、無線子機２１０、２２０の所持者によって予め登録されたアイコンであってよい。例えば、無線子機２１０の所持者は、ディスプレイ装置１００でアクセスする予定のデータ領域に対応する複数のアイコンを、無線子機２１０に予め保持させておく。
【００４５】
アイコン取得部１１４は、データサーバ４００から複数のアイコンを取得してもよい。例えば、データサーバ４００は、複数の無線子機識別情報毎に複数のアイコンを対応付けて格納してよく、アイコン取得部１１４は、接続された無線子機２１０の無線子機識別情報をデータサーバ４００に送信して、対応する複数のアイコンを受信してよい。
【００４６】
表示領域格納部１１６は、通信Ｉ／Ｆ接続部１０４の識別情報に対応づけて、表示領域１５２の範囲を格納してよい。また、表示領域格納部１１６は、通信Ｉ／Ｆ接続部１０６の識別情報に対応づけて、表示領域１５４の範囲を格納してよい。表示領域１５２は、第１表示領域の一例であってよい。表示領域１５４は、第２表示領域の一例であってよい。
【００４７】
また、表示領域格納部１１６は、無線子機２１０及び無線子機２２０の一方が接続されている場合に、無線子機２１０及び無線子機２２０の一方を介して受信したデータを表示する、表示部１０２の表示領域１５０の範囲を格納してよい。表示領域１５０は、第３表示領域の一例であってよい。
【００４８】
表示制御部１１８は、データを表示部１０２に表示させる。表示制御部１１８は、例えば、無線子機２１０及び無線子機２２０の一方が接続されている場合に、接続された無線子機２１０及び無線子機２２０の一方を介して受信したデータを、表示領域１５０内に表示させる。
【００４９】
表示制御部１１８は、無線子機２１０及び無線子機２２０が接続されている場合、無線子機２１０を介して受信したデータを表示領域１５２に表示させ、無線子機２２０を介して受信したデータを表示領域１５４に表示させてよい。表示制御部１１８は、受信したデータに通信Ｉ／Ｆ接続部１０４の識別情報が対応付けられている場合に、受信したデータを表示領域１５２に表示させてよい。また、表示制御部１１８は、受信したデータに通信Ｉ／Ｆ接続部１０６の識別情報が対応付けられている場合に、受信したデータを表示領域１５４に表示させてよい。
【００５０】
位置情報送信部１２０は、位置情報取得部１１２が取得した位置情報を送信する。位置情報送信部１２０は、例えば、位置情報取得部１１２が取得した位置情報をデータサーバ４００に送信する。位置情報送信部１２０は、認証処理実行部１１０が認証処理を実行する場合に、認証サーバ及びアクセスポイントなどの認証処理を実行する対象の装置に対して位置情報を送信してよい。これにより、認証処理実行部１１０は、位置情報を含めた認証処理を実行することができる。
【００５１】
データ取得要求送信部１２２は、データの取得を要求するためのデータ取得要求を送信する。データ取得要求送信部１２２は、例えば、データ取得要求をデータサーバ４００に送信する。データ取得要求送信部１２２は、表示部１０２に表示されたアイコンがユーザによって指定された場合に、データ取得要求をデータサーバ４００に送信してよい。
【００５２】
データ取得要求送信部１２２及び位置情報送信部は、位置情報とデータ取得要求とを対応付けてデータサーバ４００に送信してよい。データサーバ４００は、受信したデータ取得要求によって要求されたデータと、位置情報とに基づいて、データをディスプレイ装置１００に送信してよいか否かを認証してよい。
【００５３】
データ記憶部１２４は、データを記憶する。データ記憶部１２４は、データサーバ４００から受信したデータを記憶してよい。表示制御部１１８は、データサーバ４００による位置情報に基づく認証によって無線子機２１０を介して受信し、データ記憶部１２４に記憶したデータを、表示部１０２に表示させてよい。
【００５４】
アクセス可否判定部１２６は、アイコン取得部１１４が取得した複数のアイコンのそれぞれについて、対応するデータにアクセス可能か否かを判定する。アクセス可否判定部１２６は、複数のアイコンのそれぞれに対応するデータに対して、アクセスを試行することによって、アクセス可能か否かを判定してよい。例えば、アクセス可否判定部１２６は、複数のアイコンのそれぞれに対応するデータに対して、データ取得要求送信部１２２及び位置情報送信部１２０にデータアクセス要求及び位置情報を送信させることによって、データが取得できるか否かを判定してよい。これにより、例えば、複数のアイコンに、会社内ではデータアクセス可能であり、会社外ではデータアクセス不可であるアイコンが含まれている場合、無線子機２１０が会社外のディスプレイ装置１００に接続された場合に、当該アイコンを表示させないようにできる。
【００５５】
操作部１２８は、ユーザによる操作を受け付ける。例えば、操作部１２８は、キーボード及びマウスなどの入力機器であってよい。また、操作部１２８は、通信機能を備えて、他の装置からの遠隔操作を受け付けてもよい。操作部１２８は、ユーザによるデータの編集操作を受け付けてよく、また、ユーザによるデータの送信指示を受け付けてよい。
【００５６】
データ編集部１３０は、操作部１２８によって受け付けたユーザによる操作に従って、表示部１０２に表示させたデータを編集してよい。データ編集部１３０は、表示部１０２のタッチ検出機能によって受け付けたユーザによる操作に従って、表示部１０２に表示させたデータを編集してもよい。データ編集部１３０は、表示部１０２に表示されたデータに新たなデータを追加したり、データを変更したり、データの一部を削除したりすることにより、データを編集してよい。
【００５７】
送信先情報格納部１３２は、位置情報に対応付けて、データの送信が許可又は禁止されている宛先を示す送信先情報を格納する。送信先は、装置を識別する装置識別情報及びユーザを識別するユーザ識別情報などであってよい。例えば、送信先は、ＭＡＣアドレス及びメールアドレスなどであってよい。
【００５８】
送信先制限部１３４は、データの送信先を制限する。送信先制限部１３４は、位置情報取得部１１２が取得した位置情報に基づいて、データ編集部１３０により編集されたデータの送信先を制限する。送信先制限部１３４は、データが編集されたときの位置情報に対応する送信先を、送信先情報格納部１３２から取得して、取得した送信先に対する送信を制限してよい。
【００５９】
例えば、送信先制限部１３４は、データが編集されたときの位置情報が会社の敷地内を示す場合に、送信先を会社の敷地内に設置された装置及びその会社の従業員である社員のメールアドレスに制限する。また、送信先制限部１３４は、データが編集されたときの位置情報が特定の会議室を示す場合に、当該会議室に対応付けられたＭＡＣアドレスを有する装置及びメールアドレスに送信先を制限してよい。
【００６０】
送信先を制限するとは、許可されている送信先以外へのデータの送信を禁止することであってよい。また、送信先を制限するとは、禁止されている送信先へのデータの送信を禁止することであってもよい。また、送信先を制限するとは、データの送信先を制限する制限情報をデータに付帯させることであってよい。データの送信先を制限する制限情報とは、許可されている送信先及び禁止されている送信先の少なくとも一方を含む情報である。送信先制限部１３４が、制限情報をデータに付帯させることにより、他の装置に対してもデータの送信を制限させることができる。
【００６１】
データ送信部１３６は、データ記憶部１２４に記憶されたデータを送信する。送信先制限部１３４は、データ送信部１３６がデータを送信する場合の送信先を制限してよい。
【００６２】
制御部１３８は、表示部１０２、通信Ｉ／Ｆ接続部１０４、通信Ｉ／Ｆ接続部１０６、識別情報取得部１０８、認証処理実行部１１０、位置情報取得部１１２、アイコン取得部１１４、表示領域格納部１１６、表示制御部１１８、位置情報送信部１２０、データ取得要求送信部１２２、データ記憶部１２４、アクセス可否判定部１２６、操作部１２８、データ編集部１３０、送信先情報格納部１３２、送信先制限部１３４、及びデータ送信部１３６を制御する。
【００６３】
図５は、データサーバ４００に格納されたアクセス管理テーブル４０２の一例を概略的に示す。アクセス管理テーブル４０２は、複数のデータ及びデータ領域のそれぞれについて、アクセスを許可する条件が登録されたテーブルであってよい。図５に示す例では、アクセス管理テーブル４０２は、データ欄、アイコン欄、及びアクセス許可条件欄を含む。アクセス許可条件欄は、無線子機ＩＤ欄及び位置情報欄を含む。
【００６４】
データ欄には、複数のデータ及びデータ領域が登録される。ここで、データとは画像データやテキストデータなどであり、データ領域とはデータを格納するフォルダなどである。アイコン欄には、アイコン画像が登録される。アイコン欄には、アイコン画像が格納されている場所を示すリンク情報が登録されてよい。無線子機ＩＤ欄には、対応するデータ領域へのアクセスを許可する無線子機識別情報が登録される。位置情報欄には、対応するデータ領域へのアクセスを許可する位置情報が登録される。位置情報欄には、ＧＰＳデータの範囲を示す情報が登録されてよく、また、場所を識別する情報が登録されてもよい。データサーバ４００は、ディスプレイ装置１００から無線子機識別情報、データ取得要求、及び位置情報を受信した場合、アクセス管理テーブル４０２を参照することによって、アクセス可否を判定してよい。
【００６５】
図５に示すアクセス管理テーブル４０２を用いた場合、例えば、無線子機２１０が接続されたディスプレイ装置１００の位置情報取得部１１２が取得した位置情報が会社敷地内を示す場合に、データ領域Ａ及びＣに格納されたデータへのアクセスが許可される。また、位置情報が会議室Ｂを示す場合に、データ領域Ｂに格納されたデータへのアクセスが許可される。
【００６６】
また、無線子機２２０が接続されたディスプレイ装置１００の位置情報取得部１１２が取得した位置情報が会社敷地内を示す場合に、データ領域Ａに格納されたデータへのアクセスが許可される。また、位置情報が会議室Ｂを示す場合に、データ領域Ｂに格納されたデータへのアクセスが許可される。また、位置情報が会議室Ａを示す場合に、データＤへのアクセスが許可される。
【００６７】
図６は、通信Ｉ／Ｆ接続部１０４、１０６の識別情報と、表示領域の範囲とを対応付けた対応テーブル１５６の一例を概略的に示す。図６は、表示部１０２が１９２０×１０８０の解像度を有する場合の対応テーブル１５６の一例を示す。図６に示す例では、通信Ｉ／Ｆ接続部１０４の識別情報に、Ｘ＝９６１〜１９２０、Ｙ＝０〜１０８０が対応付けられている。また、通信Ｉ／Ｆ接続部１０６の識別情報に、Ｘ＝０〜９６０、Ｙ＝０〜１０８０が対応付けられている。対応テーブル１５６の表示領域の範囲は、ユーザによって任意に設定及び変更されてよい。このように、通信Ｉ／Ｆ接続部１０４、１０６の識別情報と、表示領域の範囲とを対応付け、ユーザによる設定を受け付けることにより、通信Ｉ／Ｆ接続部１０４を介して受信したデータと、通信Ｉ／Ｆ接続部１０６を介して受信したデータとを、ユーザの所望の領域に表示させることができる。
【００６８】
図７は、データ記憶部１２４に記憶されたデータの編集場所を管理する編集場所管理テーブル１４２の一例を概略的に示す。編集場所管理テーブル１４２は、データ欄、編集場所欄、及び編集日時欄を含んでよい。図７は、データＡ及びデータＢが、会議室Ａに設置されたディスプレイ装置１００において編集されたことを示す。また、図７は、データＣが、会議室Ｂに設置されたディスプレイ装置１００において編集された場合を例示している。
【００６９】
送信先制限部１３４は、データＡ及びデータＢについて、送信先情報格納部１３２において会議室Ａに対応付けて格納されたＭＡＣアドレス及びメールアドレスに送信先を制限してよい。また、送信先制限部１３４は、データＣについて、送信先情報格納部１３２において会議室Ｂに対応付けて格納されたＭＡＣアドレス及びメールアドレスに送信先を制限してよい。
【００７０】
また、送信先制限部１３４は、さらに編集日時に基づいて、送信先を制限してもよい。この場合、送信先情報格納部１３２は、位置情報及び編集日時に対応付けて、データの送信が許可又は禁止されている宛先を示す送信先情報を格納してよい。例えば、送信先情報格納部１３２は、位置情報が会議室Ａ、編集日時が２０１３年２月１日１３時から１５時の間という条件に対して、複数のメールアドレスを対応付けて格納する。これにより、例えば、送信先を、２０１３年２月１日１３時から１５時に、会議室Ａで会議をしていたユーザに制限することができる。
【００７１】
図８は、ディスプレイ装置１００による処理の一例を概略的に示す。図８に示す処理は、通信Ｉ／Ｆ接続部１０４又は通信Ｉ／Ｆ接続部１０６に無線子機２１０又は無線子機２２０が接続されて通信が確立した場合に開始する。
【００７２】
ステップＳ３０２では、識別情報取得部１０８が、接続された無線子機２１０又は無線子機２２０から無線子機識別情報を受信する。ステップＳ３０４では、認証処理実行部１１０が、データサーバ４００に対する認証処理を実行して、認証可であるか否かを判定する。認証処理実行部１１０は、ステップＳ３０２で受信した無線子機識別情報をデータサーバ４００に送信する。そして、認証処理実行部１１０は、データサーバ４００から認証可を示すデータを受信した場合に認証可であると判定し、認証不可を示すデータを受信した場合に、認証不可であると判定する。認証処理実行部１１０によって、認証可と判定された場合、ステップＳ３０６に進み、認証不可と判定された場合、ステップＳ３２６に進む。
【００７３】
ステップＳ３０６では、表示制御部１１８が、表示領域格納部１１６から表示領域の範囲を取得する。表示制御部１１８は、無線子機２１０及び無線子機２２０の一方のみが接続されている場合、表示領域１５０の表示範囲を取得する。また、表示制御部１１８は、無線子機２１０及び無線子機２２０の両方が接続されている場合、通信Ｉ／Ｆ接続部１０４の識別情報に対応する表示領域の範囲と、通信Ｉ／Ｆ接続部１０６の識別情報に対応する表示領域の範囲とを取得する。これにより、無線子機２１０及び無線子機２２０の接続状況に応じて、表示領域の範囲を適切に定めることができる。
【００７４】
ステップＳ３０８では、アイコン取得部１１４が、複数のアイコンを取得する。アイコン取得部１１４は、接続された無線子機２１０又は無線子機２２０から、複数のアイコンを取得してよい。
【００７５】
ステップＳ３１０では、表示制御部１１８が、ステップＳ３０８で取得した複数のアイコンを表示部１０２に表示させる。表示制御部１１８は、無線子機２１０及び無線子機２２０の一方のみが接続されている場合、複数のアイコンを表示領域１５０に含めて表示部１０２に表示させる。また、表示制御部１１８は、無線子機２１０又は無線子機２２０が接続され、新たに無線子機２１０あるいは無線子機２２０が接続された場合、無線子機２１０又は無線子機２２０に対応する表示領域内に、ステップＳ３０８で取得した複数のアイコンを表示させる。
【００７６】
ここで、無線子機２１０が接続されている状態で、新たに無線子機２２０が接続された場合を例に挙げて説明する。無線子機２２０が新たに接続される前は、無線子機２１０に対応する複数のアイコンが表示領域１５０内に表示されている。無線子機２２０が接続されると、表示制御部１１８は、表示領域１５２及び表示領域１５４を表示部１０２に表示させる。このとき、表示制御部１１８は、表示領域１５０に表示されていた複数のアイコンを表示領域１５２内に表示させる。表示領域１５０内にデータが表示されていた場合、表示制御部１１８は、表示されていたデータも表示領域１５２内に表示させる。そして、表示制御部１１８は、無線子機２２０に対応する複数のアイコンを表示領域１５４内に表示させる。
【００７７】
ステップＳ３１２では、制御部１３８が、ユーザからデータ取得要求を受け付けたか否かを判定する。制御部１３８は、表示部１０２に対するタッチ入力の有無又は操作部１２８に対するユーザ操作の有無を判定してよい。ステップＳ３１２で、データ取得要求を受け付けたと判定した場合、ステップＳ３１４に進み、受け付けていないと判定した場合、ステップＳ３２４に進む。
【００７８】
ステップＳ３１４では、位置情報取得部１１２が、ステップＳ３１２で受け付けたデータ取得要求に対応する無線子機２１０、２２０から位置情報を取得する。位置情報取得部１１２は、例えば、表示領域１５２内のアイコンに対するデータ取得要求を受け付けた場合、無線子機２１０から位置情報を取得する。また、位置情報取得部１１２は、例えば、表示領域１５４内のアイコンに対するデータ取得要求を受け付けた場合、無線子機２２０から位置情報を取得する。
【００７９】
ステップＳ３１６では、データ取得要求送信部１２２及び位置情報送信部１２０が、ステップＳ３１２で受け付けたデータ取得要求及びステップＳ３１４で取得した位置情報をデータサーバ４００に送信する。ステップＳ３１８では、制御部１３８が、ステップＳ３１６で送信したデータ取得要求に対応するデータを受信したか否かを判定する。ステップＳ３１８において、データを受信したと判定した場合、ステップＳ３２０に進み、データを受信していないと判定した場合、ステップＳ３２２に進む。制御部１３８は、例えば、データサーバ４００から、データの送信を拒否する旨を示すエラー情報を受信した場合に、データを受信していないと判定してよい。
【００８０】
ステップＳ３２０では、表示制御部１１８が、受信したデータを表示部１０２に表示させる。ステップＳ３２２では、表示制御部１１８が、データを受信できなかった旨を示すエラーを表示部１０２に表示させる。表示制御部１１８は、データサーバ４００から、データを送信できない理由を示すエラー情報を受信した場合、データを送信できない理由を合わせて表示部１０２に表示させてよい。例えば、無線子機識別情報にアクセス権限がない旨を示すエラー情報を受信した場合、表示制御部１１８は、使用中の無線子機ではデータにアクセスできない旨を示すエラーを表示部１０２に表示させる。また、送信した位置情報にアクセス権限がない旨を示すエラー情報を受信した場合、表示制御部１１８は、ディスプレイ装置１００が設置された場所からではデータにアクセスできない旨を示すエラーを表示部１０２に表示させてよい。
【００８１】
ステップＳ３１２でデータ取得要求を受け付けていないと判定された場合、ステップＳ３２０でデータを表示した後、及びステップＳ３２２でエラーを表示した後に、ステップＳ３２４に進む。ステップＳ３２４では、制御部１３８が、接続された無線子機２１０、２２０の接続が解除されたか否かを判定する。制御部１３８によって、接続が解除されていないと判定した場合、ステップＳ３１２に戻り、接続が解除されたと判定した場合、処理を終了する。
【００８２】
ステップＳ３０４で、認証不可と判定された場合、ステップＳ３２６に進む。ステップＳ３２６では、表示制御部１１８が、接続された無線子機２１０又は無線子機２２０に、データサーバ４００にアクセスする権限がない旨を示すエラーを、表示部１０２に表示させる。そして処理が終了する。
【００８３】
図９は、ディスプレイ装置１００のハードウェア構成の一例を概略的に示す。ディスプレイ装置１００は、ホストコントローラ６０２、ＣＰＵ６０４、ＲＡＭ６０６、入出力コントローラ６０８、ＲＯＭ６１０、入力ユニット６１２、ディスプレイ６１４、第１通信ユニット６１６、第１通信コネクタ６１８、第２通信ユニット６２０、及び第２通信コネクタ６２２を備える。ホストコントローラ６０２は、ＲＡＭ６０６と、ＲＡＭ６０６にアクセスするＣＰＵ６０４とを接続する。ＣＰＵ６０４は、ＲＯＭ６１０及びＲＡＭ６０６に格納されたプログラムに基づいて動作して、各部を制御する。入出力コントローラ６０８は、ホストコントローラ６０２と、ＲＯＭ６１０、入力ユニット６１２、ディスプレイ６１４、第１通信ユニット６１６、第２通信ユニット６２０とを接続する。
【００８４】
第１通信コネクタ６１８は、第１通信I／F接続部の一例であってよい。第１通信ユニット６１６は、例えば、第１通信コネクタ６１８に連結した通信ボードである。第２通信コネクタ６２２は、第２通信I／F接続部の一例であってよい。第２通信ユニット６２０は、例えば、第２通信コネクタ６２２に連結した通信ボードである。このように、ディスプレイ装置１００は、第１通信コネクタ６１８及び第２通信コネクタ６２２のそれぞれに対する、第１通信ユニット６１６及び第２通信ユニット６２０を備えてよい。ディスプレイ装置１００は、これに代えて、第１通信コネクタ６１８及び第２通信コネクタ６２２の両方に連結された通信ユニットを備えてもよい。この場合、ディスプレイ装置１００は、第１通信コネクタ６１８を介して受信したデータと、第２通信コネクタ６２２を介して受信したデータとを、ソフトウェア処理によって識別してよい。例えば、入出力コントローラ６０８は、第１通信コネクタ６１８において受信したデータを通信ユニット受信する場合に、第１通信コネクタ６１８の識別情報を受信することによって、第１通信コネクタ６１８を介して受信したことを識別する。
【００８５】
ディスプレイ装置１００にインストールされて実行されるプログラムは、ＣＰＵ６０４などに働きかけて、ディスプレイ装置１００を、図１から図８にかけて説明した、表示部１０２、通信Ｉ／Ｆ接続部１０４、通信Ｉ／Ｆ接続部１０６、識別情報取得部１０８、認証処理実行部１１０、位置情報取得部１１２、アイコン取得部１１４、表示領域格納部１１６、表示制御部１１８、位置情報送信部１２０、データ取得要求送信部１２２、データ記憶部１２４、アクセス可否判定部１２６、操作部１２８、データ編集部１３０、送信先情報格納部１３２、送信先制限部１３４、データ送信部１３６、及び制御部１３８として機能させる。
【００８６】
上記実施形態では、無線子機２１０、２２０からＧＰＳデータを取得する例を主に説明したが、これに限らない。ディスプレイ装置１００がＧＰＳアンテナを備えてもよい。位置情報取得部１１２は、ディスプレイ装置１００が備えるＧＰＳアンテナからＧＰＳデータを取得してよい。また、ディスプレイ装置１００が、設置された位置の位置情報を記憶しておいてもよい。例えば、ディスプレイ装置１００が会議室Ａに設置された場合に、ユーザによって、会議室Ａを示す位置情報が登録されてよい。
【００８７】
また、上記実施形態では、表示制御部１１８が、複数のアイコンのうち、アクセス可否判定部１２６によってアクセス可能と判定されたデータにアクセスするためのアイコンのみを表示する例を挙げて説明した。しかし、これに限らない。表示制御部１１８は、アクセス可否判定部１２６によってアクセス可能と判定されたデータにアクセスするためのアイコンと、アクセス不可と判定されたデータにアクセスするためのアイコンとを識別表示させてもよい。例えば、アクセス不可と判定されたデータにアクセスするためのアイコンに、アクセスできない旨を示す画像を重畳させて表示させてもよい。
【００８８】
また、上記実施形態では、表示制御装置の一例として、表示部１０２を備えるディスプレイ装置１００を挙げて説明したが、これに限らない。表示部１０２を備えず、外部のディスプレイにデータを表示する装置であってもよい。当該装置は、外部のディスプレイが備える１つ以上の通信Ｉ／Ｆ接続部と通信してもよく、また、当該装置の筐体に１つ以上の通信Ｉ／Ｆ接続部を備えてもよい。
【００８９】
また、上記実施形態では、ディスプレイ装置１００が、２つの通信Ｉ／Ｆ接続部１０４、１０６を備える例について主に説明したが、ディスプレイ装置１００は、通信Ｉ／Ｆ接続部を３つ以上備えてもよい。この場合、表示領域格納部１１６は、無線子機の接続数に応じた表示領域の範囲を格納してよい。例えば、表示領域格納部１１６は、接続数が１つの場合の表示領域の範囲、接続数が２つの場合における２つの表示領域の範囲、接続数が３つの場合における３つの表示領域の範囲を格納する。そして、表示制御部１１８は、無線子機の接続数に応じた数及び範囲の表示領域を、表示部１０２に表示させてよい。これにより、接続した無線子機の数に応じて、表示画面を適切に分割して、データを表示させることができる。
【００９０】
また、上記実施形態において、通信Ｉ／Ｆ接続部１０４、１０６は、通信ネットワークと接続する内蔵アンテナであってもよい。例えば、通信Ｉ／Ｆ接続部１０４、１０６は、３Ｇ方式、ＬＴＥ方式、４Ｇ方式などの移動体通信方式に従って通信接続を確立することによって、通信インターフェースに接続されてよい。また、通信Ｉ／Ｆ接続部１０４、１０６は、ＷｉＦｉ（登録商標）及びＷｉＭＡＸ（登録商標）などの無線通信方式に従って通信接続を確立することによって、通信インターフェースに接続されてよい。
【００９１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００９２】
特許請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」などを用いて説明したとしても、この順で実施することが必須であることを意味するものではない。
【符号の説明】
【００９３】
１０  ネットワーク、１００  ディスプレイ装置、１０２  表示部、１０４  通信Ｉ／Ｆ接続部、１０６  通信Ｉ／Ｆ接続部、１０８  識別情報取得部、１１０  認証処理実行部、１１２  位置情報取得部、１１４  アイコン取得部、１１６  表示領域格納部、１１８  表示制御部、１２０  位置情報送信部、１２２  データ取得要求送信部、１２４  データ記憶部、１２６  アクセス可否判定部、１２８  操作部、１３０  データ編集部、１３２  送信先情報格納部、１３４  送信先制限部、１３６  データ送信部、１３８  制御部、１４２  編集場所管理テーブル、１５０  表示領域、１５２  表示領域、１５４  表示領域、１５６  対応テーブル、１６２、１６４、１６６、１６８、１７０  アイコン、２１０  無線子機、２１２  接続部、２１４  通信アンテナ、２１６  ＧＰＳアンテナ、２２０  無線子機、２２４  通信アンテナ、２２６  ＧＰＳアンテナ、３００  無線ルータ、４００  データサーバ、４０２  アクセス管理テーブル、６０２  ホストコントローラ、６０４  ＣＰＵ、６０６  ＲＡＭ、６０８  入出力コントローラ、６１０  ＲＯＭ、６１２  入力ユニット、６１４  ディスプレイ、６１６  第１通信ユニット、６１８  第１通信コネクタ、６２０  第２通信ユニット、６２２  第２通信コネクタ
【図１】
0005613788.tif 000002
【図２】
0005613788.tif 000003
【図３】
0005613788.tif 000004
【図４】
0005613788.tif 000005
【図５】
0005613788.tif 000006
【図６】
0005613788.tif 000007
【図７】
0005613788.tif 000008
【図８】
0005613788.tif 000009
【図９】
0005613788.tif 000010